(57)【要約】      （修正有）【課題】ナット同士に振動が伝わっても緩まないネジのストッパー装置を提供する。【解決手段】ネジ穴４を設けたナット１に台型の丸穴を設け、丸穴の中に台型で楕円型の穴３を設けたナット１と、ネジ穴８を設けたナット５に角度の大きい台型で円筒の凸起６を設け、該凸起６に角度の小さい台型の凸起１２を重ねて設けたナット５を作り、ボルトのネジ９にナット同士を絞めると、楕円型の穴３に入った円筒の凸起６は圧縮されて絞まり、台型の角度の小さい凸起１２は、台型で楕円型の穴３にはさまって楕円型の凸起に変形をした凸起を台型で楕円型の穴３がはさんでナット同士の緩むのを防止出来る。【選択図】図８
0003220060.tif 000002
【実用新案登録請求の範囲】
【請求項１】
ネジのストッパー装置であって、ネジ穴（４）を設けたナット（１）の一端に台型の丸穴（２）を設け、台型の丸穴（２）の中に、台型で楕円型の穴（３）を設けたナット（１）と、ネジ穴（８）を設けたナット（５）に台型の角度の大きい円筒の凸起（６）を設け、角度の大きい円筒の凸起（６）に台型の角度の小さい凸起（１２）をつなげて設け、台型の角度の小さい凸起（１２）のネジ穴（８）の入口に大きなネジの入面（１３）を設け、凸起（１２）の側面に溝（７）を設ける。
前記、ナット（１）の台型の丸穴（２）にナット（５）の台型の角度の小さい凸起（１２）を合わせてボルトのネジ（９）にナット（１）と、ナット（５）を締めると台型で楕円型の穴（３）に台型の角度の小さい凸起（１２）と、台型の角度の大きい円筒の凸起（６）が台型で楕円型の穴（３）の中に入ってナット同士が緩まり、台型の角度が立ち上がった台型の角度の小さい凸起（１２）は、台型で楕円型の穴（３）の中で変形をして台型で楕円型の穴（３）の中にはさまるために、ナット同士が緩むのを防止することが出来るネジのストッパー装置。
以上の構成からなることを特徴とするネジのストッパー装置。
【考案の詳細な説明】
【技術分野】
【０００１】  この考案は、台型の丸穴の中に台型で楕円型の穴を設けたナットと、台型で円筒の凸起を設けたナットを作り、台型の丸穴と、台型で円筒の凸起を合わせてボルトのネジにナット同士を絞めて、台型で円筒の凸起を台型で楕円型の穴の中に入れて変形させた凸起を台型で楕円型の穴がはさんでナット同士の回転止をしてネジの緩むのを防止するネジのストッパー装置。
【背景技術】
【０００２】  従来は、２個のナットを重ねてナット同士を絞めてネジの緩み止をしていたが、ボルトのネジやナット同士が振動を受けると振動でナット同士が緩みやすい欠点があった。
【考案が解決しようとする課題】
【０００３】  本考案は、ネジ穴を設けたナットに台型の丸穴を設け、台型の丸穴の中に台型で楕円型の穴を設けたナットと、ネジ穴を設けたナットに台型の角度の大きい凸起と台型の角度の小さい凸起をつなげて設けたナットを作り、ナットの丸穴に台型の角度の小さい凸起を合わせてボルトのネジにナット同士を絞めると台型で円筒の凸起が台型で楕円型の穴にはさまって台型の凸起の一端を楕円型に変形させてナット同士が絞まり、ネジの緩むのを防止出来ることを課題に研究を進めた。
【課題を解決するための手段】
【０００４】  ネジ穴（４）を設けたナット（１）の一端に台型の丸穴（２）を設け、台型の丸穴（２）の中に台型で楕円型の穴（３）を設けたナット（１）と、ナット（５）の一端に台型の角度の大きい円筒の凸起（６）を設け、凸起（６）の先端に台型の角度の小さい凸起（１２）を重ねて設けたナット（５）にネジ穴（８）を設け、台型の角度の小さい凸起（１２）のネジ穴（８）の入口に大きな形のネジの入面（１３）と、台型の角度の小さい凸起（１２）の側面の一端に溝（７）を設ける。
【考案の実施と型態】
【０００５】  ナット（１）に設けた丸穴（２）に、ナット（５）の台型で角度の小さい凸起（１２）を合わせて、ボルトのネジ（９）にナット（１）とナット（５）を絞めると、ナット（１）の台型で楕円型の穴（３）の中に回転をしながらナット（５）の台型で角度の小さい凸起（１２）と台型の角度の大きい円筒の凸起（１）が入ってナット同士は絞まり、傾斜の角度が立ち上がっているナット（５）の台型の角度の小さい凸起（１２）の端の一端は、ナット（１）の台型で楕円型の穴（３）の穴のかべにはさまって、溝（７）の幅が動きながら角度の立ち上がった凸起（１２）は台型で楕円型の穴（３）の中に入り、角度の立ち上がった凸起（１２）は台型で楕円型の穴（３）に押さえられてネジの入面（１３）の方向に曲がって楕円型に変形をしてはさまるために台型で楕円型の穴（３）の壁に凸起（１２）がつかえて回転が出来なくなって、ナット同士の回転止をするネジのストッパー装置。
【本考案の効果】
【０００６】  ボルトのネジ（９）に絞めたナット同士は、ボルトのネジ（９）やナット同士が強い振動を受けてもナット同士が緩まなくなる効果がある。
なお、強く挟んでも形が変わらない台型で、円筒の凸起を台型で楕円型の穴が強くはさむだけでもナット同士の回転止をしてネジの緩むのを防止することができる。
【本考案は次のようなことが出来る】
【０００７】  ナット（５）に設けた台型の凸起に溝（７）を設けなくても良く、台型の凸起と、台型の穴の角度が違ってもナット同士をボルトのネジに絞めて使用することが出来る。
【図面の簡単な説明】
【０００８】
【図１】図１は、正面図
【図２】図２は、一部カットした側面図
【図３】図３は、側面図
【図４】図４は、平面図
【図５】図５は、一部カットした側面図
【図６】図６は、側面図
【図７】図７は、一部カットした側面図
【図８】図８は、一部カットした側面図
【符号の説明】
【０００９】  １は、ナット
２は、台型の丸穴
３は、台型で楕円型の穴
４は、ネジ穴
５は、ナット
６は、台型で角度の大きい凸起
７は、溝
８は、ネジ穴
９は、ボルトのネジ
１０は、ボルトのネジの取り付け台
１１は、丸穴の空間
１２は、台型の角度の小さい凸起
１３は、ネジの入面
【図１】
0003220060.tif 000003
【図２】
0003220060.tif 000004
【図３】
0003220060.tif 000005
【図４】
0003220060.tif 000006
【図５】
0003220060.tif 000007
【図６】
0003220060.tif 000008
【図７】
0003220060.tif 000009
【図８】
0003220060.tif 000010
【手続補正書】
【提出日】平成30年11月19日(2018.11.19)
【手続補正１】
【補正対象書類名】実用新案登録請求の範囲
【補正対象項目名】請求項１
【補正方法】変更
【補正の内容】
【請求項１】
ネジのストッパー装置であって、ネジ穴（４）を設けたナット（１）の一端に台型の丸穴（２）を設け、台型の丸穴（２）の中に、台型で楕円型の穴（３）を設けたナット（１）と、ネジ穴（８）を設けたナット（５）に台型の角度の大きい円筒の凸起（６）を設け、角度の大きい円筒の凸起（６）に台型の角度の小さい凸起（１２）をつなげて設け、台型の角度の小さい凸起（１２）のネジ穴（８）の入口に大きなネジの入面（１３）を設け、凸起（１２）の側面に溝（７）を設け、前記、ナット（１）の台型の丸穴（２）にナット（５）の台型の角度の小さい凸起（１２）を合わせてボルトのネジ（９）にナット（１）と、ナット（５）を絞めると台型で楕円型の穴（３）に台型の角度の小さい凸起（１２）と、台型の角度の大きい円筒の凸起（６）が台型で楕円型の穴（３）の中に入ってナット同士が絞まり、台型の角度が立ち上がった台型の角度の小さい凸起（１２）は、台型で楕円型の穴（３）の中で変形をして台型で楕円型の穴（３）の中にはさまるために、ナット同士が緩むのを防止することを特徴とするネジのストッパー装置。